(57)【要約】  ウェアラブルメディアを制御するためのシステムは、刺激に応じて第１の構成から第２の構成に変更するように構成される少なくとも１つの部分を含むウェアラブルメディアの物品と、少なくとも１つの部分に結合され、起動コマンドを受信すると選択的に刺激を加えるように適合された刺激装置と、ウェアラブルメディアとの通信を含む命令を実行するように構成されたプロセッサ、メモリおよび入出力デバイスを含み、刺激装置と選択的に通信して少なくとも１つの部分を第１の構成から第２の構成へ変更する起動コマンドを送信するように適合されたコントローラと、を備える。【選択図】図１
2020519775.tif 000002
【特許請求の範囲】
【請求項１】
ウェアラブルメディアを制御するシステムであって、
刺激に応じて第１の構成から第２の構成に変更するように構成される少なくとも１つの部分を含むウェアラブルメディアの物品と、
前記少なくとも１つの部分に結合され、起動コマンドを受信すると選択的に刺激を加えるように適合された刺激装置と、
前記ウェアラブルメディアとの通信を含む命令を実行するように構成されたプロセッサ、メモリおよび入出力デバイスを含むコントローラであって、前記コントローラが前記刺激装置と選択的に通信して前記少なくとも１つの部分を変更する前記起動コマンドを前記第１の構成から前記第２の構成へ送信するように適合されたコントローラと、を備えるシステム。
【請求項２】
前記刺激装置は、加熱素子、電気素子、および前記物品の前記少なくとも１つの部分に結合されたアクチュエータのうちの少なくとも１つを含む、請求項１に記載のシステム。
【請求項３】
前記コントローラは、前記第一の構成および前記第二の構成の少なくとも一方に対応する構成の選択を受信するように構成された入出力デバイスを含み、前記コントローラは前記構成の選択に対応する前記起動コマンドを提供するように構成される、請求項１または２に記載のシステム。
【請求項４】
前記入出力デバイスは、スマートデバイスを含む、請求項３に記載のシステム。
【請求項５】
前記コントローラは、認証モジュールを含み、前記認証モジュールは、ユーザデバイス、第三者ユーザデバイス、および第三者デバイスのうちの少なくとも１つと通信するように適合され、前記認証モジュールは、前記ユーザデバイス、第三者ユーザデバイス、および第三者デバイスのうちの少なくとも１つと前記コントローラの間の接続を確立するように構成される、請求項１〜４のいずれか一項に記載のシステム。
【請求項６】
前記認証モジュールを介して接続を確立する際に、前記入出力デバイスは、前記ユーザデバイス、第三者ユーザデバイスおよび第三者デバイスのうちの少なくとも１つから前記起動コマンドを受信するように構成されている、請求項５に記載のシステム。
【請求項７】
前記第一の構成は、第１の色を含み、前記第二の構成は、前記第１の色とは異なる少なくとも一つの第２の色を含む、請求項１〜６のいずれか一項に記載のシステム。
【請求項８】
前記第１の構成は、第１の形状を含み、前記第２の構成は、前記第１の形状とは異なる第２の形状を含む、請求項１〜７のいずれか一項に記載のシステム。
【請求項９】
前記第一の構成は、平坦な構成であり、前記第二の構成は、延長表面を含む、請求項１〜８のいずれか一項に記載のシステム。
【請求項１０】
前記第一の構成および第二の構成は、前記物品内に少なくとも１つの細孔を含み、前記第一の構成において、少なくとも一つの細孔が閉鎖され、第二の構成において、少なくとも１つの細孔が開いている、請求項１〜９のいずれか一項に記載のシステム。
【請求項１１】
前記コントローラと通信するセンサをさらに含み、前記センサは状態情報を提供し、前記コントローラが前記物品の少なくとも１つの部分を前記状態情報に基づいて前記第１の構成および前記第２の構成の少なくとも一方に変更するように適合される、請求項１〜１０のいずれか一項に記載のシステム。
【請求項１２】
前記センサが温度、湿度、圧力、位置、ユーザの体温、花粉レベル、および毒素のうちの少なくとも１つを検出するように構成されている、請求項１１に記載のシステム。
【請求項１３】
前記物品の前記少なくとも一部分が、電気泳動インクまたは電気インクで染色された布地の少なくとも一方と、熱変色性インクで染色された布地と、フォトニックバンドギャップファイバと、形状記憶ポリマー、スマートポリマーと、ニチノール繊維と、炭素繊維、カーボンナノチューブ、炭素粉末およびニッケル粉末のうちの少なくとも１つを含むスマート材料と、第１および第２のコーティング材料が異なる熱膨張特性を有する、第１のコーティング材料および第２のコーティング材料でコーティングされた布地と、ポリウレタン、イオンまたはメソゲン成分を含むポリウレタンと、ポリエチレンテレフタレートとポリエチレンオキシドのブロック共重合体と、ポリスチレンとポリ（１，４−ブタジエン）のブロック共重合体、およびポリ（２−メチル−２−オキサゾリン）とポリテトラヒドロフランから作られたＡＢＡトリブロック共重合体と、線状のアモルファスポリノルボルネンと、多面体オリゴシルセスキオキサンによって部分的に置換されたポリノルボルネンを有するハイブリッドポリマーと、桂皮酸基を有する光活性化ポリマーのうちの少なくとも１つから構成されている、請求項１に記載のネットワークデバイス。
【請求項１４】
ウェアラブルメディアを制御するシステムであって、
色変化材料および形状記憶材料のうちの少なくとも１つから構成される少なくとも１つの部分を含むウェアラブルメディアの物品であって、前記少なくとも１つの部分は、刺激に応じて第１の構成から第２の構成に変更するように構成される、物品と、
前記少なくとも１つの部分に結合され、起動コマンドを受信すると選択的に刺激を加えるように適合された刺激装置と、
前記ウェアラブルメディアとの通信を含む命令を実行するように構成されたプロセッサ、メモリおよび入出力デバイスを含むコントローラであって、前記コントローラが前記刺激装置と選択的に通信して前記少なくとも１つの部分を前記第１の構成から前記第２の構成へ変更する前記起動コマンドを送信するように適合されている、コントローラと、
前記コントローラと通信するセンサと、を備え、
前記コントローラは、前記入出力デバイスおよび前記センサの少なくとも一方からの信号に基づいて前記起動コマンドを送信するように構成されている、システム。
【請求項１５】
プロセッサ、前記プロセッサに結合された入出力デバイス、および前記プロセッサに結合されたメモリを含むネットワークデバイスであって、前記メモリが前記プロセッサによって実行されると、
ウェアラブルメディアの少なくとも一部分を第１の構成から第２の構成に変更するように構成された少なくとも１つの起動コマンドを含むデータストアを作成することと、
ユーザ、第三者ユーザ、および第三者プロバイダの少なくとも１つに認証モジュールを提供し、データストア内の少なくとも１つの起動コマンドへの選択されたアクセスを提供することと、を含む動作をプロセスに遂行させる実行可能な命令を含む、ネットワークデバイス。
【請求項１６】
ユーザおよびの第三者のユーザの少なくとも一方のための前記ウェアラブルメディアの前記少なくとも一部分に、前記少なくとも１つの起動コマンドを通信することをさらに含む、請求項１５に記載のネットワークデバイス。
【請求項１７】
第三者プロバイダから選択された構成に対応する少なくとも１つの起動コードをアップロードすることをさらに含む、請求項１５または１６のいずれか一項に記載のネットワークデバイス。
【請求項１８】
前記認証モジュールは、前記データストアに保存されたユーザ情報に基づいて、前記データストア内の選択された起動コマンドへのアクセスを提供する、請求項１５〜１７のいずれか一項に記載のネットワークデバイス。
【請求項１９】
前記認証モジュールは、前記第三者ユーザと前記ユーザを接続する調整許可を保存し、前記プロセッサは、前記起動コマンドを前記ユーザおよび前記第三者ユーザに送信して、前記ユーザが着用するウェアラブルメディアの少なくとも一部分と、前記第三者ユーザが着用するウェアラブルメディアの少なくとも一部分の構成を調整する、請求項１５〜１８のいずれか一項に記載のネットワークデバイス。
【請求項２０】
前記ユーザが所有するウェアラブルメディアの物品の少なくとも一部分を第三者起動コマンドと通信することをさらに含む、請求項１５から１９のいずれか一項に記載のネットワークデバイス。
【発明の詳細な説明】
【技術分野】
【０００１】
本開示は、ウェアラブルメディアを制御するシステムに関する。特に、本開示は、物品の一部分を第１の構成から第２の構成に変更させるウェアラブルメディアの物品に起動コマンドを通信するコントローラを含むシステムに関し、変更は、物品の一部分の色と形状のうちの少なくとも一方を変更することを含む。
【背景技術】
【０００２】
消費者は、スタイル、色、フィット感の特定の好みに従って設計されたカスタマイズされた衣服とアクセサリーを求めている。消費者の好みは人によって大きく異なり、時間の経過とともに変化する可能性があり、衣料品メーカのカスタマイズ作業を複雑にする。手縫いの衣服は、個人向けに高度にカスタマイズされている。手縫いの衣服は、製作に専門的なスキルを必要とし、価格プリミアムを付けて売れる。テーラーメイドの衣服とはまったく対照的に、既製服などの最小限にカスタマイズされた衣服は、市場の大部分を占めている。今日市場に出回っているほとんどの衣類は複雑なサプライチェーンを持っているため、製造業者が消費者の好みの変化に迅速に対応することは困難である。カスタマイズの課題は、縫製技術の状態に直接関係しており、人々がテーラーメイドの衣服を着るようになって以来、その本質は大きく変わっていない。手縫いであろうと大量生産であろうと、衣服生産の基本は同じで、布のパネルは裁断され、縫われるか、さもなければ一緒に結合され、ジッパー、ヘム、ボタンなどの他の構成部品は、縫製された布のパネルに取り付けられる。衣服の生産は依然として複雑で、労働集約的である。
【０００３】
衣服、アクセサリー、ヘアエクステンション、その他のウェアラブル物品の形成に使用できる色変化および形状変化繊維が開発されている。形状および色の変更を実行する機能により、カスタマイズ機能が強化され、装飾、広告、またはパフォーマンスのために物品を再構成できる。
【発明の概要】
【０００４】
本開示の実施形態は、ウェアラブルメディアを制御するためのシステムを含む。システムは、刺激に応じて第１の構成から第２の構成に変更するように構成される少なくとも１つの部分を含むウェアラブルメディアの物品と、少なくとも１つの部分に結合され、起動コマンドを受信すると選択的に刺激を加えるように適合された刺激装置と、ウェアラブルメディアとの通信を含む命令を実行するように構成されたプロセッサ、メモリおよび入出力デバイスを含むコントローラであって、刺激装置と選択的に通信して第１の構成から第２の構成へ少なくとも１つの部分を変更する起動コマンドを送信するように適合されたコントローラと、を含む。
【０００５】
さらなる例によれば、ウェアラブルメディアを制御するシステムは、色変化材料および形状記憶材料のうちの少なくとも１つから構成される少なくとも１つの部分を含むウェアラブルメディアの物品であって、少なくとも１つの部分は刺激に応じて第１の構成から第２の構成に変更するように構成されている、物品と、少なくとも１つの部分に結合され、起動コマンドを受信すると選択的に刺激を加えるように適合された刺激装置と、ウェアラブルメディアとの通信を含む命令を実行するように構成されたプロセッサ、メモリおよび入出力デバイスを含む、刺激装置と選択的に通信して第１の構成から第２の構成へ少なくとも１つの部分を変更する起動コマンドを送信するように適合されたコントローラと、そのコントローラと通信するセンサであって、コントローラは、入出力デバイスおよびセンサの少なくとも一方からの信号に基づいて起動コマンドを送信するように構成される、センサと、を備える。
【０００６】
別の例によれば、ネットワークデバイスは、プロセッサ、プロセッサに結合された入出力デバイス、およびプロセッサに結合されたメモリを含み、メモリは、プロセッサによって実行されると、プロセスにウェアラブルメディアの少なくとも一部分を第１の構成から第２の構成に変更するように構成された少なくとも１つの起動コマンドを含むデータストアを生成することを含む動作を遂行させる実行可能な命令を備え、ユーザ、第三者ユーザ、および第三者プロバイダの少なくとも１つに認証モジュールを提供し、データストア内の少なくとも１つの起動コマンドへの選択されたアクセスを提供する。
【図面の簡単な説明】
【０００７】
【図１】図１は、コントローラと通信するウェアラブルメディアの物品上の刺激装置の詳細を示すために拡大されたウェアラブルメディアを制御するためのシステムの図である。
【０００８】
【図２】図２Ａは、第１の構成のウェアラブルメディアの物品を示すウェアラブルメディアを制御するためのシステムの図である。
【０００９】
図２Ｂは、ウェアラブルメディアの物品の構成を第２の構成に変更するための起動コマンドの通信を示すウェアラブルメディアを制御するためのシステムの図である。
【００１０】
【図３】図３Ａは、第１の構成のウェアラブルメディアを有するユーザおよび第２の構成のウェアラブルメディアを有する第三者ユーザを示すウェアラブルメディアを制御するためのシステムの図である。
【００１１】
図３Ｂは、ユーザのウェアラブルメディアを、第三者ユーザのウェアラブルメディアに一致する第２の構成に再構成することを示すウェアラブルメディアを制御するシステムの図である。
【００１２】
【図４】図４Ａは、短いスリーブを備えた第１の形状を備えた第１の構成と、長いスリーブを備えた第２の形状を備えた第２の構成とを有する一例によるウェアラブルメディアの図である。
【００１３】
図４Ｂは、ショーツの形態の第１の構成と、ショーツの脚が延長されてパンツを形成する第２の構成とを有する一例によるウェアラブルメディアの図である。
【００１４】
【図５】図５は、物品の布地が平らな第１の構成と、布地がアコーディオン式に変形して物品とユーザとの間に空気を閉じ込める第２の構成を有するウェアラブルメディアの図である。
【００１５】
【図６】図６は、第１の構成および第２の構成のウェアラブルメディアを示す図であり、膝領域の後ろのウェアラブルメディアの物品の一部分は、支持を提供するために膨張および硬化している。
【００１６】
【図７】図７は、ウェアラブルメディアがユーザからより大きな熱伝達を提供するように再構成される第１の構成および第２の構成を示すウェアラブルメディアを制御するためのシステムの図である。
【００１７】
【図８】図８は、複数の色がカモフラージュを形成するために表示される第１の構成と、単一の色が表示される第２の構成とを有するウェアラブルメディアの図である。
【００１８】
【図９】図９は、ウェアラブルメディアを制御するためのシステムの例示的な動作を示すフロー図である。
【００１９】
【図１０】図１０は、ウェアラブルメディアを制御するためのシステムの一例の概略図である。
【図１１】
【発明を実施するための形態】
【００２０】
以下により完全に説明するように、本開示によるシステム１００は、その構成を変更する能力を有する材料から構築された少なくとも一部分を有する衣服またはアクセサリーなどの着用可能な物品と相互作用する。構成の変更には、色、形状、またはサイズの変更が含まれるが、これらに限定されない。簡略化のため、こうした物品はウェアラブルメディアと総称される。ウェアラブルメディアの構成を変更する機能により、外観やパフォーマンスをカスタマイズできる。たとえば、色の変更を使用して、オンデマンドで、または外部の刺激に応じて、ウェアラブルメディアの外観を変更できる。色の変化は、たとえば、暗い色から明るい色または反射色に変更して日光の影響を減らすか、そうでなければ体温を制御することにより、パフォーマンスの向上として使用することもできる。色の変更は、個人の安全のためにも使用できる。たとえば、ユーザが道に迷ったり、支援が必要な場合に、周囲から目立つように、より見やすい色を選択できる。同様に、形状の変更を使用して、フィットを改善し、サポートを提供し、耐久性または保護を追加し、材料の熱伝導率を制御できる。以下により完全に説明するように、構成におけるこれらの変更は、システム１００によって制御され得る。システム１００は、第１の構成から少なくとも第２の構成に変更する能力を有するウェアラブルメディアＷを制御するためのシステムである。システム１００は、ウェアラブルメディアの１つ以上の物品を所有するユーザが使用して、それらの物品を独立して制御し、所有する各物品の外観をカスタマイズすることができる。１人のユーザが複数のウェアラブルメディアの物品を持っている場合、システム１００を使用して、ユーザが着用している複数の物品間の構成変更を調整することができる。別の例では、システム１００は、システムが登録されたすべてのウェアラブルメディアを制御できるように、物品をグループとして調整したいと登録したまたはその他の方法で希望を示した複数のユーザと通信する。
【００２１】
図１および図２を参照すると、本開示の例は、ウェアラブルメディア１１０と通信するシステム１００を含む。ウェアラブルメディア１１０は、シャツ、パンツ、ショートパンツ、コート、ジャケット、帽子、フットウェア、またはスーツを含むがこれらに限定されない衣服を含むがこれらに限定されない、ユーザＵが着用する物品１１５を含むことができる。ウェアラブルメディア１１０は、スウォッチ、リボン、ハンカチ、ポケットステー、かつら、ヘアセグメントまたはエクステンションなどのなどの衣服またはユーザに取り付けられたジュエリ、リストバンド、ヘッドバンド、スカーフ、装飾を含むがこれらに限定されない装身具も含むことができる。物品１１５は、再構成可能な少なくとも一部分１２０を含む。例えば、部分１２０は、第１の構成１２１と少なくとも第２の構成１２２とを含み得る。第１の構成１２１は、部分１２０のデフォルト構成、または刺激が適用されないときにとられる構成であってもよい。第１の構成１２１は、ユーザによって選択された構成、または製造業者によって事前に選択された構成であってもよい。第２の構成１２２は、異なる色、形状、または部分１２０の構成の他の態様など、全体的に第１の構成１２１とは異なる。部分１２０は、物品１１５全体を含む任意の量の物品を包含し得ることが理解されるであろう。部分１２０は、物品１１５の一部分として構築されてもよく、または構築された後に物品１１５に取り付けられてもよい。そのために、部分１２０は別個に販売され、既存の物品１１５に取り付けられてもよい。
【００２２】
物品１１５の部分１２０は、ユーザが着用できる材料である。この部分は、以下により完全に説明するように、システム１００によって制御される刺激に応じて構成を変える繊維１１７または布地１１９であってもよい。布地は、任意の適切な織物加工技術を使用して形成されてもよく、織布および不織布を含む。刺激には、機械的刺激、熱刺激、電気刺激、磁気刺激、視覚（光）刺激、またはそれらの組み合わせが含まれる。
【００２３】
例えば、色変化部分１２０は、電気刺激に反応して選択的に色を変える電気泳動インクまたは電子インクで染色された繊維または布地を含むことができる。熱変色性のインクまたは染料は、熱の印加または除去あるいは他の温度変化などの熱刺激に応じて色が変化する場合がある。一例では、電流を使用して熱を生成し、選択した色を活性化する。視覚刺激には光が含まれる場合がある。例えば、周囲光または透過白色光で照らされたときに色を変える能力を有するフォトニックバンドギャップ繊維を織物製品に織り込んで、物品１１５の少なくとも一部分１２０を形成することができる。機械的刺激には、さまざまな光の屈折または音響入力を引き起こして適切な材料の色を変化させる圧力が含まれる場合がある。
【００２４】
さらに、同じ刺激を使用して、部分１２０の形状の変化を含む構成の変更を引き起こしてもよい。例えば、形状記憶ベースの材料および合金を使用して、２つの構成が物理的に互いに異なる第１の構成から第２の構成に物品を再構成してもよい。
【００２５】
一例では、繊維１１７または布地１１９は、形状記憶ポリマーまたは他のポリマースマート材料を含む。この材料は、熱の印加または温度変化によって変形状態に誘導される場合がある。形状記憶材料として使用できる繊維の一例はニチノールである。ニチノールは、形状記憶と超弾性という密接に関連する２つの固有の特性を兼ね備えている。形状記憶により、ニチノールは、ある温度で変形し、その変態温度に加熱されると元の形状に戻ることができる。この効果は、材料がその低温単斜晶系マルテンサイト構造から高温立方オーステナイト構造に変化することによって引き起こされる。完成したニチノールワイヤの変態温度は、使用するニチノールのグレードに応じて、−１５°Ｃ〜＋２２°Ｃの範囲である。
【００２６】
参照により本明細書に組み込まれる米国特許第８，１８７，９８４号は、周囲温度の変化に応じて織物にその形状を変化させる異なる熱膨張特性を有するコーティングを適用することにより形成される別の形状変化材料を記載している。特に、織物は、第１のコーティング材料の１つ以上の領域の上にある第２のコーティング材料の１つ以上の領域を含むことができ、第１のコーティング材料は、第２のコーティング材料と共に、織物の滑らかな表面で二成分コーティングを形成する。第２のコーティング材料は、第１のコーティング材料に化学的および／または物理的に結合されてもよい。第２のコーティング材料は、織物の滑らかな表面の反対側の第１のコーティング材料の第１の表面に配置される。第１のコーティング材料および第２のコーティング材料は、温度の変化に応じて織物の三次元構成の変化を引き起こすために、異なる熱膨張を示す。第１のコーティング材料および第２のコーティング材料は、所定の温度範囲にわたる温度の変化に応じて異なる熱膨張を示す。場合によっては、所定の温度範囲は約−４０°Ｆ〜約１４０°Ｆの間である。いくつかの例では、所定の温度範囲は約５０°Ｆ〜約１００°Ｆの間である。他の例では、所定の温度範囲は、約−４０°Ｆ〜約６０°Ｆの間、例えば、約−２０°Ｆ〜約４０°Ｆである。
【００２７】
第１のコーティング材料は、ポリウレタンなどのポリマーであってもよい。ポリマーは、結晶化により体積変化を示す。ポリマーは、約−４０°Ｆ〜約１００°Ｆの温度で結晶化するように構成される。例えば、いくつかの場合、ポリマーは、例えば約６０°Ｆ〜約９８°Ｆ、例えば約６９°Ｆ〜約７３°Ｆなど約５０°Ｆ〜約１００°Ｆの温度で結晶化するように構成される。別の例では、ポリマーはたとえば、約−２０°Ｆ〜約４０°Ｆの間など約−４０°Ｆ〜約６０°Ｆの温度で結晶化するように構成される。
【００２８】
第２のコーティング材料は、例えば、ポリウレタン、シリコーン、およびアクリレートからなる群から選択されるポリマーを含む。いくつかの実施形態において、第２のコーティング材料の１つ以上の領域は、織物の滑らかな表面上に配置され、第１のコーティング材料は、第２のコーティング材料の１つ以上の領域を覆う。場合によっては、第１のコーティング材料は、第１のコーティング材料の少なくとも一部分が織物の滑らかな表面に接触するように、第２のコーティング材料と重なり合う関係で配置される。織物は、織物の滑らかな表面上の第１のコーティング材料と並んで配置された第２の材料の１つ以上の領域を含む。織物は、丸編み構造、縦編み構造、および／または織構造を有する。上記のニット構造のいずれにおいても、例えばステッチ糸に弾性糸（例えば、Ｌｙｃｒａ（登録商標）またはＬｙｃｒａ（登録商標）Ｔ−４００などのスパンデックス）を追加してもよい。スパンデックス糸は、例えば、裸のスパンデックス糸、コアスパン糸、ラップ糸、および／または空気交絡糸を含むことができる。丸編み構造は、シングルジャージー構造、ダブルニット構造、またはテリーシンカーループ構造で形成される。テリーシンカーループは編組構造で形成される。テリーシンカーループは、逆編組構造で形成される。テリーシンカーループは、起毛によって上昇するか、起毛されていない状態のままになる場合がある。第１のコーティング材料は、織物の滑らかな表面上の複数の所定の別個の領域に配置される。複数の所定の別個の領域は、別個のドットの形態であってもよい。第１のコーティング材料は、滑らかな表面の表面積の約５％〜約８０％を覆う。
【００２９】
他の例では、形状の変化は、電場または磁場、光、または化学溶液によって引き起こされる。このカテゴリの代表的な形状記憶には、ポリウレタン、プレポリマー法で作られたイオンまたはメソゲン成分を含むポリウレタンが含まれる。ポリエチレンテレフタレート（ＰＥＴ）とポリエチレンオキシド（ＰＥＯ）のブロック共重合体、ポリスチレンとポリ（１，４−ブタジエン）を含むブロック共重合体、ポリ（２−メチル−２−オキサゾリン）およびポリテトラヒドロフランから作られたＡＢＡトリブロック共重合体など、他のブロック共重合体も形状記憶効果を示す。線状のアモルファスポリノルボルネン（Ｎｏｒｓｏｒｅｘ、ＣｄＦ  Ｃｈｅｍｉｅ／Ｎｉｐｐｏｎ  Ｚｅｏｎが開発）または多面体オリゴシルセスキオキサン（ＰＯＳＳ）で部分的に置換されたポリノルボルネンユニットで構成される有機無機ハイブリッドポリマーも形状記憶効果を持つ。光活性化形状記憶ポリマー（ＬＡＳＭＰ）は、ガラス転移を変化させるために、光架橋と光開裂のプロセスを使用する。光架橋は、１つの波長の光を使用して達成されるが、第２の波長の光は、光架橋結合を可逆的に切断する。達成される効果は、材料がエラストマーと硬質ポリマーの間で可逆的に切り替えられることである。光は温度を変えず、材料内の架橋密度のみを変える。たとえば、ケイ皮酸基を含むポリマーは、ＵＶ照明（＞２６０ｎｍ）によって所定の形状に固定することができ、異なる波長（＜２６０ｎｍ）のＵＶ光にさらされると元の形状に戻ることができる。光応答性スイッチの例には、ケイ皮酸およびシンナミリデン酢酸が含まれる。
【００３０】
電気的に刺激された形状変化材料は、電流に応じて形状を変化させ、導電性要素を備えたスマート材料複合材料を含んでもよい。導電性要素は、カーボンファイバ、ナノチューブ、またはカーボンブラック、ニッケル粉などの粒子を含んでもよい。一例では、多層カーボンナノチューブは、硝酸と硫酸の溶媒中で混合される。別の手法では、表面改質された超常磁性ナノ粒子を使用する。ポリマーマトリックスに導入すると、形状遷移の遠隔操作が可能になる。この例には、２〜１２％の磁性ナノ粒子を含むオリゴ（ｅ−カプロラクトン）ジメタクリレート／ブチルアクリレート複合材料の使用が含まれる。形状記憶繊維は、物品１１５の一部分１２０または物品１１５全体を構築するために使用される布地に形成されてもよい。これらの織物は、織布または不織布であり、織物産業で使用される技術または形状記憶材料用に開発された特殊な技術によって形成されてもよい。たとえば、米国特許第５，１２８，１９７号は、形状記憶材料から布地を形成するための１つの形状記憶特有の技術を記載している。少なくとも第１の構成および第２の構成を有する繊維１１７または布地１１９を形成するために使用することができる、本明細書に記載の材料の例は限定されないことが理解されよう。
【００３１】
本開示によれば、システム１００は、ウェアラブルメディア１１０の物品１１５であり、物品１１５の少なくとも一部分１２０は、第１の構成および第２の構成を有するように適合されている。部分１２０は、トリガーまたは刺激Ｓに応じて第２の構成１２２を採用する。トリガーまたは刺激Ｓは、部分１２０を形成するために使用される材料のタイプに対して必要に応じて上述の様々な刺激の少なくとも１つを提供するために部分１２０と通信する刺激装置１３０によって提供され得る。例えば、刺激装置１３０は、部分１２０に電場または磁場を印加するため、または部分１２０内で熱を発生させて所望の構成変更をもたらすため電気接点１３１を含むことができる。あるいは、刺激装置１３０は、部分１２０を選択的に照明して色の変化などの構成の変更をもたらす光源１３２を含むことができる。あるいは、刺激装置１３０は、部分１２０を機械的に刺激するためのアクチュエータ１３４を含んでもよい。アクチュエータ１３４は、音響波発生器または力アプリケータを含むがこれらに限定されない機械的刺激を提供するための任意の適切なデバイスであり得る。
【００３２】
刺激装置１３０は、刺激装置１３０を選択的に作動させて部分１２０の構成の変更をもたらすことができるように、少なくとも信号を受信することができる通信チャネル１３５を含む。通信チャネル１３５は、有線接続または無線接続を含み得る。単純なアプリケーションでは、通信チャネル１３５は、ユーザＵから入力を受信して回路を閉じたり開いたりして刺激装置１３０を起動／停止し、第１の構成１２１から第２の構成１２２への変更をもたらすスイッチを単に含むことができる。別の例によれば、通信チャネル１３５は、刺激装置１３０の動作を制御して少なくとも第１構成１２１から第２構成１２２への変更をもたらすように構成された信号Ｓを受信する有線または無線接続を含む。この信号は、本明細書では起動コマンドＡと呼ばれ、以下でより完全に説明され得る。
【００３３】
システム１００は、物品１１５と通信して起動コマンドＡを送信して部分１２０を少なくとも第１の構成１２１から第２の構成１２２に、またはその逆に変更する、全体として番号３００で示されるコントローラを含む。追加の構成が、第１および第２の構成を超えて達成され、コントローラ３００によって起動され得ることが理解されるであろう。本明細書で議論する例は、限定と見なされるべきではない。コントローラ３００は、例えば、通信チャネル１３５との有線または無線接続を介して、刺激装置１３０と通信している。そのために、コントローラ３００は、物品１１５上に提供されるか、物品１１５から離れて配置されてもよい。
【００３４】
一例では、コントローラ３００は、プロセッサ３０２と、プロセッサ３０２に結合されたメモリ３０４とを備えてもよい。メモリ３０４は、プロセッサ３０２によって実行されると、プロセッサ３０２に物品１１５の一部分１２０の構成の変更に関連する動作を実行させる実行可能命令を含むことができる。コントローラ３００は、スタンドアロンデバイスであってもよいし、通信ネットワークＮ内のネットワークデバイス（図１Ａ、１Ｂ）として提供されてもよい。本明細書の説明から明らかなように、コントローラ３００はそれ自体ソフトウェアとして解釈されない。
【００３５】
プロセッサ３０２およびメモリ３０４に加えて、コントローラ３００は入出力システム３０６を含むことができる。プロセッサ３０２、メモリ３０４、および入出力システム３０６は、それらの間の通信を可能にするために一緒に結合されてもよい。コントローラ３００の各部分は、それぞれの各部分に関連する機能を実行するための回路を備えてもよい。したがって、各部分は、ハードウェア、またはハードウェアとソフトウェアの組み合わせを備えてもよい。したがって、コントローラ３００の各部分は、それ自体がソフトウェアとして解釈されるべきではない。入出力システム３０６は、通信用に構成された通信デバイスまたは他のネットワークエンティティとの間で情報を受信または提供することができてもよい。例えば、入出力システム３０６は、無線通信（例えば、３Ｇ／４Ｇ／ＧＰＳ）カードを含み得る。入出力システム３０６は、ビデオ情報、オーディオ情報、制御情報、画像情報、データ、またはそれらの任意の組み合わせを受信または送信することができ得る。入出力システム３０６は、コントローラ３００で情報を転送することができてもよい。様々な構成において、入出力システム３０６は、例えば、光学的手段（例えば、赤外線）、電磁的手段（例えば、ＲＦ、Ｗｉ−Ｆｉ、Ｂｌｕｅｔｏｏｔｈ（登録商標）、ＺｉｇＢｅｅ（登録商標））、音響手段（例えば、スピーカ、マイクロホン、超音波受信機、超音波送信機）、またはそれらの組み合わせなどの任意の適切な手段を介して情報を受信または提供することができる。例示的な構成では、入出力システム３０６は、Ｗｉ−Ｆｉファインダー、双方向ＧＰＳチップセットまたは同等物など、あるいはそれらの組み合わせを含むことができる。ブルートゥース（登録商標）、赤外線、ＮＦＣ、およびＺｉｇｂｅｅは一般に短距離（たとえば、数センチメートルから２０メートル）と見なされる。ＷｉＦｉは中距離（たとえば、約１００メートル）と見なされる。
【００３６】
コントローラ３００の入出力システム３０６はまた、コントローラ３００が他のデバイス、ネットワークエンティティなどと通信することを可能にする通信接続３０８を含むことができる。通信接続３０８は、通信媒体を備えてもよい。通信媒体は通常、コンピュータ可読命令、データ構造、プログラムモジュール、または搬送波やその他のトランスポートメカニズムなどの変調データ信号に他のデータを組み込んでおり、任意の情報配信メディアを含む。例として、限定ではなく、通信媒体には、有線ネットワークや直接配線接続などの有線媒体、または音響、無線周波（ＲＦ）、赤外線（ＩＲ）、もしくはその他の無線媒体などの無線媒体が含まれ得る。本明細書で使用されるコンピュータ可読媒体という用語は、記憶媒体と通信媒体の両方を含む。入出力システム３０６は、キーボード、マウス、ペン、音声入力装置、またはタッチ入力装置などの入力装置３１０も含むことができる。入出力システム３０６は、ディスプレイ、スピーカ、またはプリンタなどの出力デバイス３１２も含むことができる。
【００３７】
プロセッサ３０２は、本明細書で説明されるように、ブロードキャストメッセージを処理するための機能など、電気通信に関連する機能を実行することができてもよい。例えば、プロセッサ３０２は、本明細書で説明されるように、ネットワークデバイス３００の他の部分と連携して、ブロードキャストメッセージの種類を決定し、ブロードキャストメッセージの種類またはコンテンツに従って動作することができる。
【００３８】
コントローラ３００のメモリ３０４は、具体的な、有形の、物理的構造を有する記憶媒体を備えてもよい。知られているように、信号は具体的で有形の物理的構造を持っていない。メモリ３０４は、本明細書で説明される任意のコンピュータ可読記憶媒体と同様に、信号として解釈されるべきではない。本明細書で説明されるコンピュータ可読記憶媒体と同様に、メモリ３０４は、一時的な信号として解釈されるべきではない。本明細書で説明されるコンピュータ可読記憶媒体と同様に、メモリ３０４は、伝搬信号として解釈されるべきではない。メモリ３０４は、本明細書で説明される任意のコンピュータ可読記憶媒体と同様に、製造品として解釈されるべきである。
【００３９】
メモリ３０４は、電気通信に関連して利用される任意の情報を格納し得る。プロセッサの正確な構成または種類に応じて、メモリ３０４は、揮発性ストレージ３１４（一部の種類のＲＡＭなど）、不揮発性ストレージ３１６（ＲＯＭ、フラッシュメモリなど）、またはそれらの組み合わせを含み得る。メモリ３０４は、例えば、テープ、フラッシュメモリ、スマートカード、ＣＤ−ＲＯＭ、ＤＶＤ、または他の光学ストレージ、磁気カセット、磁気テープ、磁気ディスクストレージ、または他の磁気ストレージデバイス、ＵＳＢ互換メモリ、または情報を保存するために使用でき、ネットワークデバイス３００からアクセスできる任意の他のメディアを含む追加のストレージ（例えば、リムーバブルストレージ３１８）を含み得る。メモリ３０４は、プロセッサ３０２によって実行されると、プロセッサ３０２に物品１１５の一部分１２０の構成を第１の構成１２１から第２の構成１２２に、またはその逆に変更する動作を実行させる実行可能命令を含み得る。
【００４０】
コントローラ３００のメモリ３１４は、部分１２０のための１つ以上の構成を保存してもよい。部分１２０の第１の構成１２１がデフォルト構成である例、すなわちこの構成をとるための刺激は不要な例では、メモリは、少なくとも１つの第２の構成１２２を定義する起動コマンドＡを保存することができる。起動コマンドＡは、第２の構成１２２をもたらす刺激の１つまたは組み合わせを含むことができる。例えば、第２の構成１２２は、色の変化をもたらすための光刺激および形状の変化をもたらすための電気刺激の適用を必要とする色の変化および形状の変化を含み得る。第２の構成１２２に関連付けられたメモリ３１４の起動コマンドＡは、刺激装置１３０を起動してこれらの刺激を同時にまたは順番に提供して、部分１２０を選択された構成に変更する信号を含む。メモリ３１４は、ウェアラブルメディア１１０に複数の構成を提供するために、複数の構成およびそれぞれに対応する起動コマンドＡを含むことができる。
【００４１】
そのために、コントローラ３００は、選択的刺激装置１３０内の通信チャネル１３５を介して物品１１５と通信することができる。起動コマンドＡは、メモリ３１４から得ることができ、とコントローラ３００は、所望の構成変更をもたらすために必要な刺激を提供する刺激装置１３０を活性化する起動コマンドＡを通信することができる。構成の変更は、第１の色から第２の色への変更、または第１の形状から第２の形状への変更のような単純なものであり得る。あるいは、構成の変更は複雑であり、一連の構成の変更を伴う場合がある。刺激装置１３０は１つ以上の部分１２０に接続され得、そのような部分１２０の制御は全体の構成変更を作成するために一斉に実行され得るか、個々の部分１２０は部分１２０の構成を個別に独立して変更することができる。
【００４２】
布地１１９は、衣服またはアクセサリーに適した任意の種類の織物であり得、単独で、または層と組み合わせた場合に、衣服またはアクセサリーの目的に適した柔軟性および縁部安定性を提供する。したがって、布地１１９は、織布、編布、不織布、ラミネート、および／またはそれらの任意の組み合わせとすることができる。一例では、布地１１９は、複数の縦糸と、複数の縦糸と織り交ぜられて織布を画定する複数の横糸とを有する織布である。この例では、布地１１９の糸は、上述のように少なくとも第１の構成１２１から第２の構成１２２に変化することができる繊維１１７を含む。他の例では、布地１１９は、部分１２０が構成を変更することを可能にする材料でコーティング、染色、またはそうでなければ処理される。
【００４３】
織布の例では、平織り、サテン／綿じゅす、綾織り、バスケット織り、オックスフォード、バスケット織り、リブ織り、または他の適切な織り構造など、任意の種類の織り構造を使用することができる。部分１２０を形成する織布は、合成糸、天然糸もしくは混紡糸、シングルエンド糸、または撚糸を含み得る。織布用の糸は、例えば約６Ｎｅ〜約１２０Ｎｅの間の衣服またはアクセサリーに適した糸番手の範囲の糸を使用することができる。連続マルチフィラメント糸が衣服パネルを形成する場合、番手の範囲は１０デニール〜約２５０デニールである。
【００４４】
別の例では、生地はニット生地である。ニット生地は、シングルジャージーニット生地、ダブルニット、リブニット、または任意の他の種類の横編み生地などの横編みであってもよい。ニット生地は、エッジの安定性を改善し、柔軟性を維持するために、ニット構造の組み合わせを持つことができる。あるいは、ニット生地は、トリコットまたはレイチェル縦編み生地などの縦編みであってもよい。ニット生地に使用される糸は、横編みでも縦編みでも、さまざまな番手を持つことができる。例えば、編み糸は、約６Ｎｅ〜約１２０Ｎｅの範囲の番手、または連続フィラメントが使用される場合は同等のデニールを有することができる。
【００４５】
織られたまたは編まれたときの布地１１９は、紡績糸または連続フィラメント糸などの任意の数の糸の種類から形成することができる。紡績糸には、天然繊維、合成繊維、または天然繊維と合成繊維の混紡が含まれる場合がある。天然繊維には、綿、羊毛、竹、亜麻、麻などが含まれる。合成繊維には、ポリエチレンテレフタレート（ＰＥＴ）、ポリオレフィン、ポリアミド６、ポリアミド６，６、ポリ乳酸（ＰＬＡ）繊維、ビスコースレーヨン、アクリル、または必要に応じて難燃性繊維などの他の繊維の種類が含まれ得る。適切な熱可塑性合成ステープル繊維は、単一成分または二成分タイプの繊維であり得る。リング紡績、オープンエンド、エアジェット、コンパクト紡績など、さまざまな紡績タイプを使用できる。連続フィラメント糸は、単成分または二成分フィラメントタイプのいずれかまたは両方を含んでもよい。連続フィラメント糸は、ポリエチレンテレフタレート、ポリオレフィン、および／またはポリアミド６、ポリアミド６、６、ポリ乳酸フィラメントであり得る。
【００４６】
別の例では、布地１１９は不織布であってもよい。適切な不織布には、スパンボンドおよびメルトブローン材料または他の構造などのメルトスパン不織布が含まれる。メルトスパン不織布は、単一のスパンボンド層、複数のスパンボンド層、単一のメルトブローン層、複数のメルトブローン層、またはスパンボンドおよびメルトブローン材料の複数の層を含むことができる。メルトスパン不織布は、ポリエチレンテレフタレート、ポリオレフィン、および／またはポリアミド６、ポリアミド６、６、またはポリ乳酸ポリマーからできる。あるいは、不織布は、例えば針またはステッチ結合により、熱的、化学的、および／または機械的に結合されたカーディングまたはエアレイド材料であり得る。カーディングまたはエアレイド材料に適した繊維には、ＰＥＴ、綿、および／またはビスコース繊維が含まれる。
【００４７】
布地１１９はまた、織布と不織布、編布と不織布、または織布と編布の積層体であってもよい。織物はまた、機能性を高める多くの機能的な仕上げ、コーティング、または他の処理を含んでもよい。例えば、織物は、抗菌剤、コーティング、難燃性コーティングなどを含むことができる。
【００４８】
任意の層は、布地１１９の片側に配置された仕上げ、コーティング、布地、フィルム、または膜であり得、および／または存在する場合は織物積層物であり得る。
【００４９】
本開示の別の実施形態によれば、部分１２０は、フィルムまたは他の予め形成されたパネル構造の１つ以上の層であり得る。したがって、可撓性材料は、使用中の人が容易に曲げることができる材料など、実質的に可撓性である任意の材料または構造とすることができることを理解されたい。
【００５０】
図２を参照すると、システム１００はさらにセンサ１５０を含むことができる。センサ１５０は、コントローラ３００と通信している。センサ１５０を使用して、ユーザＵの状態または外部の状態を監視または検出することができる。例えば、センサ１５０は、心拍数、体温、呼吸、または他の生体情報を監視することにより、ユーザの健康または健康状態を監視するために使用されてもよい。ユーザの監視の代替として、またはそれに加えて、センサ１５０は、温度、湿度、高度、地理的位置、移動速度、ランドマークまたは他の外部オブジェクトに対するユーザの相対位置などの外部状態を監視してもよい。これらの例は限定的なものと見なされるべきではない。センサ１５０は、物品１１５に組み込まれても、物品１１５に取り付けられても、物品１１５とは別個であってもよい。センサ１５０は、専用センサであってもよいし、スマートフォン、携帯情報端末、睡眠モニタ、健康モニタ、心拍数モニタ、パルソックスモニタなどの適切な機能を備えたユーザデバイスＤから活用されてもよい。例えば、システム１００は、スマートフォンがセンサ１５０であるように、ユーザの呼吸を監視するために、スマートフォンのマイクロホンと通信し、それにアクセスすることができる。別の例では、センサ１５０は、温度、気圧、風速、花粉レベル、オゾンアクションアラート、湿度、気象条件などの大気条件を含むがこれらに限定されない外部状態情報を取得するために、ユーザの位置を特定し、適切なデータフィードにアクセスするために使用されるスマートデバイス内の位置システムを含み得る。センサ１５０とコントローラ３００との間の通信は、コントローラ３００に関連して説明したように有線または無線であり得る。
【００５１】
センサ１５０は、感知された情報に基づいて構成変更をもたらすために使用され得る。構成の変更は、ユーザが外部の要素から身を守るのを支援するため、または体温、発汗などの内部状態の調節を支援するために行うことができる。外部要素に関しては、そのような構成の変更には、花粉、化学物質、気象条件、または体温の低下に応じてマスクまたはフードを拡張する構成の変更が含まれる場合があります。スリーブ、脚、襟などの衣服またはその部分の延長または短縮を含むがこれらに限定されない同様の構成変更、衣服の細孔の開閉、または、感知された状態に応じて、または直接のユーザ要求を通じて、多少なりとも断熱性または保護性を持たせるために衣服を再構成することができる。
【００５２】
図３Ａおよび図３Ｂを参照すると、センサ１５０が体温または周囲温度を含むがこれらに限定されない温度を監視できる例が示されている。物品１１５は、半袖シャツ（図３Ａ）またはショートパンツ（図３Ｂ）などのユーザの部分を露出したままにする第１の構成１２１を有してもよい。センサ１５０を介して温度の低下を検出すると、コントローラ３００は、起動コマンドを発行して、ユーザをより多くカバーする第２の構成に部分１２０を変更することができる。たとえば、半袖シャツから長袖シャツへの変換（図３Ａ）またはショートパンツからパンツへの変換（図３Ｂ）。このような変更は、前の例で議論したように、コントローラ３００を介して起動コマンドＡを提供するユーザが手動で行うことができる。同様に、コントローラ３００は、センサ１５０によって検出された温度の上昇に応じて、物品１１５をより被覆の多い構成からより被覆の少ない構成に変換することができる。
【００５３】
図４は、形状変化材料が物品１１５の構成を変化させて、それを多少なりとも絶縁性にする別の例を示している。例えば、センサ１５０が屋外温度の低下を検出した場合、コントローラ３００は、部分１２０の形状をより絶縁性の形状に変化させて、ユーザが体温を保持するのを助けることができる。あるいは、センサ１５０が温度の上昇を検出した場合、コントローラ３００は、物品１１５に、ユーザからの熱をより速く伝達するのに役立つ構成を生じさせる起動コマンドＡを送信することができる。これらの変更には、上記のように物品を短くしたり長くしたり、ワッフル構成など、物品とユーザの皮膚との間に空気を閉じ込めるためにその構成を変更し、断熱または拡張表面Ｅを提供して、ユーザからの熱を伝達することを含み得る。図４を参照すると、コントローラ３００は、物品１１５をユーザに対して平らな第１の構成１２１からアコーディオン形状の第２の構成１２２に変更し、物品１１５とユーザとの間に空気を閉じ込めて物品１１５をより絶縁性にする。
【００５４】
図６では、第１の構成１２１で閉じた細孔を有するユーザに対して平らに横たわっている物品１１５を備えた例が示されている。温度または熱Ｈが増加すると、物品１１５は、ユーザからの熱伝達を改善するために、少なくとも１つの開いた細孔Ｐまたは拡張表面Ｅを備えた第２の構成をとる。拡張表面Ｅは、ピン、フィン、またはリブ２１６（図示せず）を含むがこれらに限定されない熱伝達に利用可能な表面積を増加させる任意の既知の形状であり得る。議論したように、少なくとも１つの第２の構成１２２は、コントローラ３００によってもたらされ得る。図６は、少なくとも１つの第２の構成１２２が構成の組み合わせを含み得る例を提供する。例えば、第２の構成１２２は、第１のレベルの熱伝達のために細孔Ｐを開き、より大きな熱伝達が必要な場合にリブ２１６を追加することを含むことができる。また、第２の構成は、リブ２１６を保持しながら物品１１５をより耐水性にするのに役立つよう細孔Ｐを閉じることを含むことができる。
【００５５】
引き続き図６を参照すると、この例は、センサ１５０が物品１１５から取り外されている図を示している。センサ１５０は、物品１１５（図１）に組み込まれるか、上述のように専用デバイスに遠隔で提供されるか、またはユーザデバイスＤから活用されることが理解されるであろう。センサ１５０は、雨または風の音を検出し、この情報をコントローラ３００に伝達するマイクロホンを含むがこれに限定されない音声センサ２２０を含むことができる。この感知された情報を使用して、細孔Ｐを閉じて物品をより耐風性または耐水性にすることにより、物品を選択的に再構成することができる。
【００５６】
センサ１５０は、地理的位置を検出し、別のオブジェクトまたは人に対するユーザの位置または位置に基づいて構成を変更するためにコントローラ３００によって使用されてもよい。例えば、センサ１５０は、ユーザの位置を検出し、この位置をコントローラ３００に報告し、コントローラ３００は、親または介護者などの別の個人のスマートデバイスと通信し、ユーザが親または介護者のスマートデバイスから選択された距離を超える場合、コントローラ３００は、ユーザＵをより見やすくし、親／介護者がユーザを見つけるのを支援するために、色変更などの第１の構成１２１から第２の構成１２２への変更をもたらす起動コマンドＡを提供する。同様の機能は、定義された位置またはパスに対するユーザの位置に基づいて、コントローラ３００によって実行できる。センサ１５０は、複数の状態を検知する能力を有し、コントローラ３００が起動コマンドを提供するために使用される検知情報の組み合わせをコントローラに提供することができる。
【００５７】
センサ１５０の代替として、またはそれに加えて、コントローラ３００は、コントローラ３００が起動コマンドを送信するために作用し得る情報を含むデータストア４００（図９）と通信し得る。データストア４００は、ユーザの感知された位置に基づいて相関付けられる天気または他の情報を含み得る。別の例では、複数のユーザＵが登録して、コントローラ３００が、ユーザまたは第三者からの指示に基づいて互いに対照的または協調して複数のユーザのウェアラブルメディア１１０の構成を制御できるようにする。登録を実行するために、コントローラ３００は、データストア４００に登録済みユーザのリストを保存する認証モジュール４５０と通信してもよい。登録には、適切なアクセスと制御を確保するために、ウェアラブルメディアの特定の物品１１５に固有のＳＫＵまたはその他の物品情報ＡＩの入力が含まれる場合がある。加えて、認証モジュールは、アクセスおよび制御を容易にするために、一意の識別子、パスワード、および／またはサブスクリプション情報など、物品情報に関連付けられたユーザ情報ＵＩを保存してもよい。以下でより完全に議論されるように、接続されたユーザまたはアクティビティ／イベントサブスクリプションを含む追加情報は、認証モジュールを介して追加され、ユーザのウェアラブルメディア１１０の第三部制御を許可するために検証され得る。たとえば、スポーツイベントやエンターテイメントイベントに参加しているユーザＵは、コントローラが他のユーザと色／形を調整して特定のチームの団結を示したり（ユーザ選択）、イベントホストがイベントのアクティビティに基づいて構成を変更できるように登録することができる（第三者の選択）。さらに、サブスクリプションまたは従量課金サービスを認証モジュールに実装して、ユーザが特定のデザイナ、ファッションハウス、小売店、および物品に以下により完全に説明するように、コンテンツプロバイダによって提供される１つ以上の構成をとらせるように構成される選択された起動コマンドを配信できる他の第三者コンテンツプロバイダのサービスに加入できるようにする。
【００５８】
図９を参照すると、マルチパーティ再構成のオプションをユーザに提供するシステム１００の一例が示されている。この例では、ユーザＵに再構成可能な物品が少なくとも１つある。この物品は、コントローラ３００と通信している。この例では、コントローラ３００は、ユーザＵがアクセス可能ないくつかの「オンデマンド」構成を含んでもよい。ユーザは、コントローラ３００を介してこれらのサービスに加入してもよい。オンデマンドサービスは、サブスクリプションの一部としてユーザＵがアクセス可能なメモリに少なくとも１つの構成を保存するデータストア４００へのアクセスを含んでもよい。さらに、ユーザＵは、お気に入りの色、形状、スタイル、パフォーマンス構成などを含むがこれらに限定されない、独自のカスタム構成、購入した構成、または優先構成をコントローラ３００を介してデータストア４００に保存できる。オプションで、ユーザＵは友人、家族、または保存された構成にアクセスして友人や家族との調整を可能にする他の第三者ユーザＴＵを指定できる。あるいは、ユーザおよび第三者ユーザＴＵは、コントローラ３００に登録して、コントローラがそれぞれの物品の構成を共同で制御および調整できるようにしてもよい。たとえば、ユーザＵと第三者ユーザＴＵは、それぞれの物品を調整して家族、チームなどのグループとの関係を示す目的で共同制御できるようにコントローラに登録できる。あるいは、ユーザＵと第３者ユーザＴＵは、スポーツイベント、募金活動、エンターテイメントイベントなどへの参加など、イベントの登録に基づいた調整を許可する場合がある。そのような登録は、ユーザＵがイベントに登録し、イベントで特定のチームとの関係を示して、チームのサポートまたはチームカラーの表示のみで共同制御を許可できるように指定を組み合わせることができる。
【００５９】
コントローラ３００は、第三者プロバイダ４２０からの構成へのアクセスも提供し得る。第三者プロバイダ４２０は、物品またはデザインの製造業者または小売業者、デザイナまたはアーティスト、活動固有の構成、またはイベント固有の構成を含み得る。第三者プロバイダ４２０は、通信リンク４４０を介してコントローラ３００と通信し、データストア４００に保存され、サブスクリプション、購入、または贈与ベースに基づいてユーザＵがアクセス可能な設計の起動コマンドを提供する。
【００６０】
図９および図１０を参照すると、データストア４００はまた、１人以上のユーザに関連するデータを保存することができる。このデータは入出力デバイス３０６で収集され、センサ情報１００１、ユーザ選択１００２、デバイスデータ１００３、またはユーザ入力１００４と呼ばれる接続されたユーザデバイスからのデータに基づいてトレンド情報または他の分析を開発するためにコントローラ３００に関連付けられたプロセッサ３０２によって処理され得る。システム１００は、第三者入出力１００５を介して、第三者へのアクセスを提供したり、第三者にユーザ情報を報告したりすることができる。第３者には、小売業者、デザイナ、コンテンツプロバイダ、および健康組織が含まれるが、これらに限定されない。たとえば、ユーザ情報は、ユーザが選択した構成、特定の構成が選択される頻度、構成が選択される時間、センサからの任意の情報を含むユーザ選択に関連する条件、および／または検知された情報は、どのように特定の構成または構成の変更に関連しているかを含むがそれに限定されない。コントローラ３００は、データストア３０４で収集されたユーザ情報を処理して、傾向を判定するか、主要構成として提供されるか、または選択頻度に基づいてマーケティング活動を増加させるために使用される特定の構成を特定する。コントローラ３００は、位置、温度、湿度、および体温、心拍数などのユーザ条件を含むがこれらに限定されない感知情報１００１を分析し、この情報を構成変更に相関させることもできる。そのような情報は、感知された条件に対する構成の有効性に関する情報を提供するために、コントローラ３００によって分析されてもよい。一例では、コントローラ３００は、複数のユーザに接続され、複数の場所の複数のユーザからユーザ情報、感知情報、および構成情報を収集する。位置情報を使用して、コントローラ３００は、地理的に基づく傾向を分析するために、ユーザによって選択された構成をマッピングしてもよい。そのようなトレンド情報は、デザインの人気や有効性を含むがこれに限定されない地理的トレンドに基づいてデザインを適応させるために使用できる。
【００６１】
図１０を参照すると、コントローラ３００は、ユーザから情報を求めることにより、ユーザデータをさらに増強することができる。例えば、コントローラ３００は、クエリＱを入出力デバイス３０６に向けて、１人以上のユーザ（ユーザー１〜ユーザーＮ）から入力を取得することができる。クエリＱには、特定の構成に対するユーザの好みを照会したり、ユーザが追加の物品構成に興味を持っているか、購入することを検討するかどうかを判断する構成クエリが含まれるが、これに限定されない。クエリＱからのユーザフィードバックＦは、データストア４００に格納される。コントローラ３００は、追加のユーザフィードバックと比較してユーザフィードバックを分析し、接続されたデータストア１０１０から利用可能なデータのコンテキストでユーザフィードバックをさらに分析することができる。例えば、ネットワーク接続を介したコントローラ３００は、１０１０で全体的に示される外部データストアにアクセスすることができ、外部データストアは、地理データ、気象情報、ファッショントレンド情報、アラート、およびヒストリカルトレンド情報に関するデータを含み、この情報のコンテキストでフィードバックを分析する。コントローラ３００は、情報を分析してさらなるクエリを生成し、ユーザ入力を得て機械学習プロセスを実行することができる。
【００６２】
図１Ａおよび図１Ｂを参照すると、通信ネットワークなどのネットワークＮを介してコントローラ３００と通信する物品１１５を有するユーザＵの例を示している。この例では、ユーザＵは上記のようにコントローラ３００に登録されており、たとえばデバイスＤ上のアプリケーションまたは専用のウェブサイト、自動化されたコールセンタなどを含むがそれに限定されないデバイスＤからアクセス可能な他の仮想ネットワーク機能を介してコントローラ３００と選択的に通信するユーザデバイスＤを有する。デバイスＤから、ユーザは１つ以上の物品１１５の選択された構成を入力する。示された例では、複数の物品１１５（シャツとズボン）が管理されている。選択信号Ｓは、図１ＡのネットワークＮを介してコントローラに送信される。図１Ｂでは、コントローラ３００はネットワークＮを介して１つ以上の起動コマンドＡを物品１１５に送信する。前述のように、起動コマンドは通信リンクで受信され、刺激装置に送信されて物品１１５の選択された再構成をもたらす。示されている例では、各物品１１５は、起動コマンドＡに応じて色が変化する。図２Ａおよび図２Ｂは、マルチユーザ構成の例を示す。この例では、第１のユーザＵ１と第２のユーザＵ２がコントローラ３００に登録され、それぞれのウェアラブルメディア１１０の調整が可能になる。この例では、第１のユーザＵ１は第１の構成１２１のウェアラブルメディアを持ち、第２のユーザＵ２は第２の構成１２２の物品を持つ。第２の構成１２２は、第１の構成１２１とは異なる。この例の両方のユーザは、構成を変更できるウェアラブルメディア１１０を持つことができるが、この例の第２のユーザは、第１のユーザがマッチングしたい第２の構成１２２の物品を単に身に着けている可能性がある。
【００６３】
この例では、第１のユーザＵ１は、第２のユーザＵ２と一致するようにウェアラブルメディア１１０を再構成することを望んでいる。この例では、ユーザは物品と通信し、コントローラ３００の入出力デバイスを使用して所望の構成を選択するコントローラ３００を持っている。上記の代替例では、コントローラ３００は、ユーザから離れていて、ユーザデバイスを介してアクセスされてもよい。または、両方のユーザＵ１、Ｕ２が登録されている場合、ウェアラブルメディアの調整は、イベントまたはアクティビティの登録、または調整起動アクティベーションコマンドの他の自動配信に基づいて行われ得る。この例では、第１のユーザＵ１は、第２のユーザのシャツとズボンの色に合わせて、シャツとパンツの色の変更を選択する。選択に基づいて、コントローラ３００は、第１の構成１２１（図２Ａ）から第２の構成１２２（図２Ｂ）への構成の変更をもたらすために必要な起動コマンドを提供する。描かれた例は、ユーザＵが異なる質感または他の物理的に定義された構成を選択できる形状変更マテリアルにも等しく適用される。
【００６４】
以下は、１つ以上のウェアラブルメディア１１０に対するコントローラ３００による構成の選択的変更の追加の例である。色変更機能を有する物品１１５は、コントローラ３００を介して第２の構成に変更されて、同じユーザが着用する他の物品と一致または調整できるようにすることができる。例えば、物品１１５は、ドレスに合うように色が変更された靴を含んでもよい。同じ靴の色を再び変えて、別の色の別のドレスに合わせることができる。同様に、形状が変化する素材の場合、物品の形状または質感を制御して、服の外観をカスタマイズすることができる。たとえば、１足の靴は、靴の質感を再構成することにより、外観の布地、スエード、または革を提供する質感の変更を受ける可能性がある。テクスチャリング形状の構成は、どの物品でも使用できる。したがって、提供された例は限定と見なされるべきではない。
【００６５】
装飾的な考慮事項に加えて、ユーザはパフォーマンス上の理由から物品１１５の外観を変更することもできる。たとえば、ユーザは、ジャケット全体またはジャケットの一部の質感を変更して、耐摩耗性を高めたり、保護を強化したりできる。例としてジャケットを使用すると、ユーザはジャケットの肘部を保護したい場合がある。肘の質感や剛性を変更して、保護性、耐摩耗性、耐引裂性を高めることができる。別の例では、ユーザは、材料の剛性または形状を変更して追加のサポートまたはクッション性を提供することにより、パフォーマンスを改善したい場合がある。図５は、部分１２０が膝Ｋの後ろのパンツに設けられる一例を示す。部分１２０は、パンツの通常の線に適合する第１の構成と、部分１２０を拡張および／または補強して膝Ｋの後ろの支持を提供する第２の構成１２２とを有し得る。。コントローラ３００を使用して製品構成を変更し、物品１１５のより柔軟な使用を可能にすることができる。たとえば、ある日は、フレアカットを有するジーンズを着用したいが、翌日には先細りしたジーンズを着用したい。本明細書の例によれば、ユーザは、この変更をもたらすために必要な刺激を提供する命令を実行するようにプログラムされたコントローラ３００を介して起動コマンドを送信することにより、フレア構成と先細り構成の間で変更することができる。他の例では、同じ衣服または履物は、形状／質感の変化と色の変化の組み合わせで、革に見える生地が、布地に見えたり、金属に見える質感を持つことができる。
【００６６】
色と形状／質感の変更の組み合わせにより、独自の組み合わせを作成することができ、第三者がコントローラ３００にアクセスして、カスタムの衣服を作成したり、物品１１０を通じてもたらされる新しいデザインをリリースしたりできる。
【００６７】
図８を参照すると、システム１００は、図８の番号８００で概略的に示されるウェアラブルメディアを制御する方法を含むことができる。この方法によれば、構成の変更を受けることができるウェアラブルメディアの物品がステップ８１０で提供される。物品は、ステップ８２０、８３０、８４０で示されるように、色を変える、形状を変える、または要求に応じて形状と色の両方を変えるように構成されるように提供されてもよい。ステップ８５０で、刺激装置が物品に提供される。コントローラと刺激装置間の通信リンクも８５０で確立される。コントローラは、８６０で、選択された物品の構成に対応する起動コマンドを刺激装置に提供します。８７０で、起動コマンドを受信すると、刺激装置は、色および形状の変更の少なくとも一方を実行して起動コマンドに従って物品を再構成するように構成された物品の部分に刺激を加える。
実施例
【００６８】
実施例１  ウェアラブルメディアを制御するためのシステムであって、システムは、刺激に応じて第１の構成から第２の構成へ変更するように構成される少なくとも１つの部分を含むウェアラブルメディアの物品と、少なくとも１つの部分に結合され、起動コマンドを受信すると選択的に刺激を加えるように適合された刺激装置と、ウェアラブルメディアとの通信を含む命令を実行するように構成されたプロセッサ、メモリおよび入出力デバイスを含む、刺激装置と選択的に通信して少なくとも１つの部分を第１の構成から第２の構成へ変更する起動コマンドを送信するように適合されたコントローラと、を備えるシステム。
【００６９】
実施例２  刺激装置は、加熱素子、電気素子、および物品の少なくとも一部分に結合されたアクチュエータのうちの少なくとも１つを含む、実施例１のシステム。
【００７０】
実施例３  コントローラは、物品から離れている、実施例１〜２のいずれかに記載のシステム。
【００７１】
実施例４  コントローラは、第１の構成と第２の構成の少なくとも一方に対応する構成の選択を受信するように構成された入出力デバイスを備え、コントローラは、構成の選択に対応する起動コマンドを提供するように構成される、実施例１〜３のいずれか１つに記載のシステム。
【００７２】
実施例５  コントローラから懸隔に配置された入力装置をさらに備え、入力装置は、コントローラと通信し、第１の構成および第２の構成のうちの少なくとも一方の選択に対応する信号を提供するように適合され、コントローラは、信号に対応する起動コマンドを提供するように適合される、実施例１〜４のいずれか１つに記載のシステム。
【００７３】
実施例６  入力デバイスがスマートデバイスを含む実施例５に記載のシステム。
【００７４】
実施例７  コントローラは第三者デバイスと通信している、実施例１〜６のいずれか１つに記載のシステム。
【００７５】
実施例８  コントローラは、認証モジュールを含み、認証モジュールは、ユーザデバイス、第三者ユーザデバイス、および第三者デバイスのうちの少なくとも１つと通信するように適合され、認証モジュールは、ユーザデバイス、第三者ユーザデバイス、第三者デバイスの少なくとも１つとコントローラの間の接続を確立するように構成される、実施例１〜７のいずれか１つに記載のシステム。
【００７６】
実施例９  認証モジュールを介して接続を確立する際に、入出力デバイスは、ユーザデバイス、第三者ユーザデバイスと第三者デバイスの少なくとも１つからの起動コマンドを受信するように構成される、実施例８に記載のシステム。
【００７７】
実施例１０  第一の構成は、第１の色を含み、第二の構成は、第１の色とは異なる少なくとも一つの第２の色を含む、実施例１〜９のいずれか１つに記載のシステム。
【００７８】
実施例１１  第１の構成は、第１の形状を含み、第２の構成は、第１の形状とは異なる第２の形状を含む、実施例１〜１０のいずれか１つに記載のシステム。
【００７９】
実施例１２  第１の構成は、平坦な構成であり、第２の構成は、延長表面を含む、実施例１〜１１のいずれか１つに記載のシステム。
【００８０】
実施例１３  延長表面がリブである、実施例１２に記載のシステム。
【００８１】
実施例１４  第１の構成と第２の構成は、物品に少なくとも１つの細孔を含み、第１の構成において、少なくとも一つの細孔が閉鎖され、第２の構成において、少なくとも１つの細孔が開いている、実施例１〜１３のいずれか１つに記載のシステム。
【００８２】
実施例１５  コントローラと通信するセンサをさらに備え、センサは状態情報を提供し、コントローラが物品の少なくとも一部分を状態情報に基づいて第１の構成および第２の構成の少なくとも一方に変更するように適合されている、実施例１〜１４のいずれか１つに記載のシステム。
【００８３】
実施例１６  センサが、温度、湿度、圧力、場所、ユーザの体温、花粉レベル、および毒素のうちの少なくとも１つを検出するように構成されている、実施例１５に記載のシステム。
【００８４】
実施例１７  物品の少なくとも一部分が、電気泳動インクまたは電気インクで染色された布地の少なくとも一方と、熱変色性インクで染色された布地と、フォトニックバンドギャップファイバと、形状記憶ポリマー、スマートポリマーと、ニチノール繊維と、炭素繊維、カーボンナノチューブ、炭素粉末およびニッケル粉末のうちの少なくとも１つを含むスマート材料と、第１および第２のコーティング材料が異なる熱膨張特性を有する、第１のコーティング材料および第２のコーティング材料でコーティングされた布地と、ポリウレタン、イオンまたはメソゲン成分を含むポリウレタン、ポリエチレンテレフタレートとポリエチレンオキシドのブロック共重合体と、ポリスチレンとポリ（１，４−ブタジエン）のブロック共重合体、およびポリ（２−メチル−２−オキサゾリン）とポリテトラヒドロフランから作られたＡＢＡトリブロック共重合体と、線状のアモルファスポリノルボルネンと、多面体オリゴシルセスキオキサンによって部分的に置換されたポリノルボルネンを有するハイブリッドポリマーと、桂皮酸基を有する光活性化ポリマーのうちの少なくとも１つから構成されている、実施例１〜１６のいずれか１つに記載のネットワークデバイス。
【００８５】
実施例１８  プロセッサ、プロセッサに結合された入出力デバイス、およびプロセッサに結合されたメモリを含むネットワークデバイスであって、メモリが、プロセッサによって実行されると、
【００８６】
ウェアラブルメディアの少なくとも一部分を第１の構成から第２の構成に変更するように構成された少なくとも１つの起動コマンドを含むデータストアを作成することと、
【００８７】
ユーザ、第三者ユーザ、および第三者プロバイダの少なくとも１つに認証モジュールを提供し、データストア内の少なくとも１つの起動コマンドへの選択されたアクセスを提供することと、を含む動作をプロセスに遂行させる実行可能な命令を含む、ネットワークデバイス。
【００８８】
実施例１９  ユーザおよび第三者のユーザの少なくとも一方のためのウェアラブルメディアの少なくとも一部分に、少なくとも１つの起動コマンドを通信することをさらに含む、実施例１８に記載のネットワークデバイス。
【００８９】
実施例２０  第三者プロバイダから選択された構成に対応する少なくとも１つの起動コードをアップロードすることをさらに含む、実施例１８〜１９のいずれかに記載のネットワークデバイス。
【００９０】
実施例２１  認証モジュールは、データストアに保存されたユーザ情報に基づいて、データストアに選択された起動コマンドへのアクセスを提供する、実施例１８〜２０のいずれか１つに記載のネットワークデバイス。
【００９１】
実施例２２  認証モジュールは、ユーザを第三者ユーザと接続する調整許可を保存し、プロセッサは、起動コマンドをユーザおよび第三者ユーザに送信して、ユーザが着用するウェアラブルメディアの少なくとも一部分と、第三者ユーザが着用するウェアラブルメディアの少なくとも一部分の構成を調整する、実施例１８〜２１のいずれか１つに記載のネットワークデバイス。
【００９２】
実施例２３  ユーザが所有するウェアラブルメディアの物品の少なくとも一部分を第三者の起動コマンドと通信することをさらに含む、実施例１８〜２２のいずれか１つに記載のネットワークデバイス。
【００９３】
実施例２４  ウェアラブルメディアを制御するシステムであって、
色変化材料および形状記憶材料のうちの少なくとも１つから構成される少なくとも１つの部分を含むウェアラブルメディアの物品であって、少なくとも１つの部分は、刺激に応じて第１の構成から第２の構成に変更するように構成される、物品と、少なくとも１つの部分に結合され、起動コマンドを受信すると選択的に刺激を加えるように適合された刺激装置と、ウェアラブルメディアとの通信を含む命令を実行するように構成されたプロセッサ、メモリおよび入出力デバイスを含む、刺激装置と選択的に通信して少なくとも１つの部分を第１の構成から第２の構成へ変更する起動コマンドを送信するように適合されたコントローラと、コントローラと通信するセンサであって、コントローラは、入出力デバイスおよび前記センサの少なくとも一方からの信号に基づいて起動コマンドを送信するように構成される、センサと、を備えるシステム。
【００９４】
実施例２５  刺激に応じて構成を変更する材料で構成された少なくとも一部分を有するウェアラブルメディアの少なくとも１つの物品と通信するコントローラを備えるウェアラブルメディアを制御するためのシステムであって、コントローラはさらに入出力デバイスおよびデータストアと通信し、入出力デバイスは、物品の少なくとも一部分の選択された構成に関するユーザ入力を取得し、コントローラはデータをデータストアに格納する、システム。
【００９５】
実施例２６  コントローラが、ユーザ入力から取得したデータを分析して、傾向データを開発する、実施例２５に記載のシステム。
【００９６】
実施例２７  コントローラが第三者構成プロバイダと通信しており、コントローラがトレンドデータを第三者構成プロバイダに選択的に報告する、実施例２５〜２６のいずれかに記載のシステム。
【００９７】
実施例２８  コントローラは、第三者構成プロバイダから少なくとも１つの構成を受信し、少なくとも１つの構成に対応する起動コマンドをデータストアに格納する、実施例２５から２７のいずれか１つに記載のシステム。
【００９８】
実施例２９  コントローラは、少なくとも１つの構成に対応する起動コマンドを物品に関連する刺激装置に送信して、物品を構成に配置する、実施例２８に記載のシステム。
【００９９】
実施例３０  トレンドデータコントローラに基づいて、選択された構成の広告を変更するように第三者の入出力デバイスに促す、実施例２６に記載のシステム。
【０１００】
実施例３１  広告を変更するステップが、選択された構成の広告の頻度を増やすこと、選択された地理的領域の選択された構成の広告を提供すること、および選択されたユーザに構成を推奨することの少なくとも１つを含む、実施例３０に記載のシステム。
【０１０１】
実施例３２  コントローラがフィードバックを得るためにクエリをユーザ入力／出力に提供する、実施例２４または２５に記載のシステム。
【０１０２】
実施例３３  コントローラがフィードバックを分析し、データストアを更新し、分析を継続するために必要に応じて連続クエリを提供し、各クエリおよび分析でデータストアが更新される、実施例３２に記載のシステム。
【０１０３】
本開示は、特定の実施形態ならびにそれらの詳細な構造および動作を説明するものである。本明細書に記載される実施形態は、限定ではなく、例示のみを目的として記載されている。当業者は、本明細書の教示に照らして、本明細書に記載の例示的な実施形態と同等の範囲があり得ることを認識するであろう。最も注目すべきは、他の実施形態が可能であり、本明細書に記載の実施形態に変更を加えることができ、記載の実施形態を構成する構成要素、部品、またはステップと同等であってもよい。明快さと簡潔さのために、特定の実施形態のコンポーネントまたはステップの特定の態様は、そのような詳細が本明細書の教示に照らして当業者に明らかである場合、かつ／またはそのような詳細が実施形態のより適切な態様の理解を曖昧にする場合、過度の詳細なしに提示される。
【図１】
2020519775.tif 000003
【図２】
2020519775.tif 000004
【図３】
2020519775.tif 000005
【図４】
2020519775.tif 000006
【図５】
2020519775.tif 000007
【図６】
2020519775.tif 000008
【図７】
2020519775.tif 000009
【図８】
2020519775.tif 000010
【図９】
2020519775.tif 000011
【図１０】
2020519775.tif 000012
【図１１】
2020519775.tif 000013
【国際調査報告】
2020519775.tif 000014
2020519775.tif 000015